(57)【要約】【課題】  １回の放射線の照射でエネルギーサブトラクション画像を取得するための放射線撮像装置において画質の低下を抑制する。【解決手段】  複数の画素を含む第１画素アレイ２ａを備える第１撮像パネル５ａと、複数の画素を含む第２画素アレイ２ｂを備える第２の撮像パネル５ｂと、第１撮像パネル５ａからの信号を処理する第１信号処理部１０ａと、第１信号処理部１０ａとは別に設けられて第２撮像パネル５ｂからの信号を処理する第２信号処理部１０ｂと、第１撮像パネル５ａ及び第２撮像パネル５ｂを共通に駆動するために共通に接続された駆動部１６と、を筺体４０の内側に備える放射線撮像装置。【選択図】  図２
2017200138.tif 000002
【特許請求の範囲】
【請求項１】
放射線を信号に変換する複数の画素を含む第１画素アレイを備える第１撮像パネルと、
放射線を信号に変換する複数の画素を含む第２画素アレイを、前記第１画素アレイと互いに重なるように備える第２の撮像パネルと、
前記第１撮像パネルからの信号を処理する第１信号処理部と、
前記第１信号処理部とは別に設けられており、前記第２撮像パネルからの信号を処理する第２信号処理部と、
前記第１撮像パネル及び前記第２撮像パネルを共通に駆動するために前記第１撮像パネル及び前記第２撮像パネルに共通に接続された駆動部と、
を筺体の内側に備える放射線撮像装置。
【請求項２】
前記駆動部は、第１駆動用フレキシブル配線基板と、駆動用ＩＣと、を含み、
前記第１撮像パネル及び前記第２撮像パネルを共通に駆動するための駆動信号が前記駆動用ＩＣから前記第１駆動用フレキシブル配線基板を介して前記第１撮像パネル及ぶ前記第２撮像パネルに共通に供給されることを特徴とする請求項１に記載の放射線撮像装置。
【請求項３】
前記駆動用ＩＣから前記第１撮像パネルまでの接続抵抗と前記第２撮像パネルまでの接続抵抗が略等しくなるように、前記第１駆動用フレキシブル配線基板に前記駆動用ＩＣが備えられていることを特徴とする請求項２に記載の放射線撮像装置。
【請求項４】
前記駆動部は、各々が前記第１駆動用フレキシブル配線基板と前記駆動用ＩＣと第２駆動用フレキシブル配線基板とからなる複数の組と、プリント回路基板と、を更に含み、
前記プリント回路基板からの制御信号が前記第２駆動用フレキシブル配線基板を介して前記駆動用ＩＣに供給され、前記制御信号に応じて前記駆動用ＩＣが前記駆動信号を前記第１撮像パネル及ぶ前記第２撮像パネルに前記第１駆動用フレキシブル配線基板を介して共通に供給することを特徴とする請求項２又は３に記載の放射線撮像装置。
【請求項５】
前記筺体は、放射線を照射するためのカバーと外装箱とを含むことを特徴とする請求項２から４のいずれか１項に記載の放射線撮像装置。
【請求項６】
前記第１撮像パネルは、第１基板に各々が光電変換素子を含む前記複数の画素が行列状に複数配列された前記第１画素アレイと、放射線を前記光電変換素子が感知可能な波長帯域の光に変換する第１シンチレータと、含み、前記第１基板の前記第１画素アレイが備えられた第１表面には駆動用ＰＡＤが備えられており、
前記第２撮像パネルは、第２基板に各々が光電変換素子を含む前記複数の画素が行列状に複数配列された前記第２画素アレイと、放射線を前記光電変換素子が感知可能な波長帯域の光に変換する第２シンチレータと、含み、前記第２基板の前記第２画素アレイが備えられた第１表面には駆動用ＰＡＤが備えられていることを特徴とする請求項５に記載の放射線撮像装置。
【請求項７】
前記第１撮像パネルは、前記カバーに近い側から、前記第１シンチレータ、前記第１基板の前記第１表面、前記第１基板の前記第１表面と対向する第２表面、の順で配されており、
前記第２撮像パネルは、前記カバーに近い側から、前記第２基板の前記第１表面と対向する第２表面、前記第２基板の前記第１表面、前記第２シンチレータ、の順で配されていることを特徴とする請求項６に記載の放射線撮像装置。
【請求項８】
前記第１駆動用フレキシブル配線基板は、インナーリードと、第１絶縁膜と、前記インナーリードを挟んで前記１絶縁膜と反対側に位置する第２絶縁膜と、を含み、
前記駆動用ＩＣは前記第１駆動用フレキシブル配線基板の前記第１絶縁膜の側に備えられており、
前記第１駆動用フレキシブル配線基板の一端の前記第１絶縁膜には前記第１撮像パネルの駆動用ＰＡＤと前記インナーリードとを電気的に接続するための開口が設けられており、前記第１駆動用フレキシブル配線基板の他端の前記第１絶縁膜には前記第２撮像パネルの駆動用ＰＡＤと前記インナーリードとを電気的に接続するための開口が設けられていることを特徴とする請求項７に記載の放射線撮像装置。
【請求項９】
前記第１信号処理部と前記第２信号処理部は、前記カバーに対する正射影において互いに重ならない位置に配されていることを特徴とする請求項５から８のいずれか１項に記載の放射線撮像装置。
【請求項１０】
前記駆動部を、前記第１撮像パネルの対向する２辺及び前記第２撮像パネルの対向する２辺に設けることを特徴とする請求項１から９のいずれか１項に記載の放射線撮像装置。
【請求項１１】
請求項１から１０のいずれか１項に記載の放射線撮像装置と、
前記放射線撮像装置からの信号を処理する信号処理装置と、を備えることを特徴とする放射線撮像システム。
【発明の詳細な説明】
【技術分野】
【０００１】
本発明は、放射線撮像装置及び放射線撮像システムに関する。
【背景技術】
【０００２】
医療画像診断や非破壊検査に用いる撮像装置として、放射線を電荷に変換する変換素子と薄膜トランジスタ（ＴＦＴ）などのスイッチ素子とを組み合わせた画素がアレイ状に配された撮像パネルを含む放射線撮像装置が広く利用されている。このような放射線撮像装置を用いて、エネルギー成分が異なる放射線を用いた放射線画像を複数取得し、取得した放射線画像の差分から、特定の被写体部分を分離又は強調したエネルギーサブトラクション画像を取得する方法が知られている。特許文献１には、エネルギーサブトラクション画像を取得するために、２つの撮像パネルを用いて、被写体に対して１回の放射線照射（ワンショット法）で２つの異なるエネルギー成分の放射線の放射線画像を記録する放射線撮像装置が提案されている。また、特許文献１には、支持基板上に撮像パネルを積層する際に、撮像パネルを矩形平板上に形成された撮像パネルの平面内で１８０度回転させて積層させることが示されている。また、特許文献１には、撮像パネルを駆動する駆動部と、撮像パネルからの信号を処理する信号処理部とを、積層された２つの撮像パネルに対して共通に使用することが示されている。このように部材を共通化することにより、実装工数や部品コストが低減され、コストダウンを図ることが可能となる。
【先行技術文献】
【特許文献】
【０００３】
【特許文献１】特開２０１０−１０１８０５号公報
【発明の概要】
【発明が解決しようとする課題】
【０００４】
しかしながら、信号処理部を共通化すると、別々の撮像パネルから得られた信号を１つの信号処理部で同時に処理すると、クロストーク等の電気的な影響により、得られた画像にアーチファクトが発生して画質が低下するおそれがある。また、別々の撮像パネルから得られた信号を１つの信号処理部で順に処理すると、処理に時間がかかるうえに、後で出力される信号にノイズが混入する時間が増え、後で得られた画像にアーチファクトが発生して画質が低下するおそれがある。そこで本発明は、２つの撮像パネルを用い、１回の放射線の照射でエネルギーサブトラクション画像を取得するための放射線撮像装置において、画質の低下を抑制する技術を提供することを目的とする。
【課題を解決するための手段】
【０００５】
本発明の放射線撮像装置は、放射線を信号に変換する複数の画素を含む第１画素アレイを備える第１撮像パネルと、放射線を信号に変換する複数の画素を含む第２画素アレイを、前記第１画素アレイと互いに重なるように備える第２の撮像パネルと、前記第１撮像パネルからの信号を処理する第１信号処理部と、前記第１信号処理部とは別に設けられており、前記第２撮像パネルからの信号を処理する第２信号処理部と、前記第１撮像パネル及び前記第２撮像パネルを共通に駆動するために前記第１撮像パネル及び前記第２撮像パネルに共通に接続された駆動部と、を筺体の内側に備える。
【発明の効果】
【０００６】
本発明により、２つの撮像パネルを用いて１回の放射線の照射でエネルギーサブトラクション画像を取得するための放射線撮像装置において、画質の低下を抑制する技術を提供することができる。
【図面の簡単な説明】
【０００７】
【図１】放射線撮像装置の放射線入射側からみた平面構造の例を示す平面模式図
【図２】放射線撮像装置の断面構造の例を示す断面模式図
【図３】撮像パネル、信号処理部、及び、駆動部の例を示す平面模式図
【図４】駆動部の一の構成例を説明するための平面図
【図５】放射線撮像装置の断面構造の例を示す断面模式図
【図６】撮像パネル、信号処理部、及び、駆動部の例を示す平面模式図
【図７】駆動部の他の構成例を説明するための平面図
【図８】放射線撮像装置を用いた放射線撮像システムの構成例を示す図
【発明を実施するための形態】
【０００８】
以下、本発明に係る放射線撮像装置の具体的な実施形態を、添付図面を参照して説明する。なお、以下の説明及び図面において、複数の図面に渡って共通の構成については共通の符号を付している。そのため、複数の図面を相互に参照して共通する構成を説明し、共通の符号を付した構成については適宜説明を省略する。なお、本発明における放射線には、放射線崩壊によって放出される粒子（光子を含む）の作るビームであるα線、β線、γ線などの他に、同程度以上のエネルギーを有するビーム、例えばＸ線や粒子線、宇宙線なども含みうる。
【０００９】
（第１の実施形態）
図１〜４を参照して、第１の実施形態に係る放射線撮像装置の構造について説明する。図１は、本実施形態における放射線撮像装置１００の放射線入射側からみた平面図である。図２（ａ）は、図１のＡ−Ａ’箇所に係る断面図であり、図２（ｂ）は、Ｂ−Ｂ’箇所に係る断面図である。図３（ａ）は、第１撮像パネルと第１信号処理部と駆動部に係る構成を説明するための平面図であり、図３（ｂ）は、第２撮像パネルと第２信号処理部と駆動部に係る構成を説明するための平面図である。図４は、第１の実施形態に係る駆動部の構成例を説明するための平面図である。放射線撮像装置１００は、１つの筐体４０の内側に保持された２以上の撮像パネルを備える。本実施形態では、第１撮像パネル５ａと第２撮像パネル５ｂが、カバー２０及び外装箱３０とを含む筺体４０の内側に備えられている。これよって、放射線撮像装置１００は、被写体に対して１回の放射線の照射（ワンショット法）でエネルギーサブトラクション画像の取得が可能な構成となる。このため、筐体４０の放射線を照射するためのカバー２０に対する正射影において、第１撮像パネル５ａと第２撮像パネル５ｂは互いに重なるように配される。また、図２（ａ）及び図２（ｂ）に示す構成において、放射線を透過しやすく耐水性や密閉性が確保できるカバー２０に近い側から、第１撮像パネル５ａ、第２撮像パネル５ｂの順に配される。
【００１０】
第１撮像パネル５ａは、放射線を電気信号に変換する複数の画素を備える。本実施形態では、第１撮像パネル５ａは、第１基板１ａに行列状に光電変換素子を含む画素が複数配列された第１画素アレイ２ａと、放射線を光電変換素子が感知可能な波長帯域の光に変換する第１シンチレータ３ａと、を含む。また、第１撮像パネル５ａは、第１シンチレータ３ａを保護する第１保護部材４ａを更に含む。第２撮像パネル５ｂも、第１撮像パネル５ａと同様に、放射線を電気信号に変換する複数の画素を備える。本実施形態では、第２撮像パネル５ｂは、第２基板１ｂに行列状に光電変換素子を含む画素が複数配列された第２画素アレイ２ｂと、放射線を光電変換素子が感知可能な波長帯域の光に変換する第２シンチレータ３ｂと、を含む。また、第２撮像パネル５ｂは、第２シンチレータ３ｂを保護する第２保護部材４ｂを更に含む。第１撮像パネル５ａと第２撮像パネル５ｂは、第１画素アレイ２ａと第２画素アレイ２ｂが互いに重なるように、筺体４０の内側に配される。
【００１１】
各画素は、それぞれシリコンなどの半導体を用いた、ｐｎ型、ｐｉｎ型、ＭＩＳ型などの光電変換素子と薄膜トランジスタ（ＴＦＴ）などのスイッチ素子とを含む。本実施形態では、シンチレータによって放射線から変換された光を電気信号に変換する光電変換素子を用いた間接型の撮像パネルを用いる。しかし、これに限られることなく、放射線を直接、信号に変換する直接型の変換素子を用いた撮像パネルを用いてもよい。直接型の変換素子には、例えば、アモルファスセレン（ａ−Ｓｅ）などの材料が用いられうる。なお、本実施形態では、画素は、ガラス基板などの絶縁性の基板２ａの上に配置されたａ−Ｓｉ：Ｈからなる光電変換素子を含む。なお、本実施形態では、いずれの撮像パネルも、カバー２０に近い側から、シンチレータ、画素アレイが備えられた基板の第１表面、第１表面と対向する基板の第２表面、の順で配される。また、図３（ａ）及び図３（ｂ）に示すように、各撮像パネルの基板の第１及び第２表面は４辺を有する矩形で、第１表面に備えられる画素アレイやシンチレータ、保護部材も、矩形で構成され得る。
【００１２】
第１シンチレータ３ａ、第２シンチレータ３ｂには、例えば、酸硫化ガドリニウム（ＧＯＳ）やヨウ化セシウム（ＣｓＩ）などの材料が用いられる。ＣｓＩをシンチレータ１０５ａ、１０５ｂに用いる場合、タリウム（Ｔｌ）やナトリウム（Ｎａ）がドープ材として用いられうる。
【００１３】
第１保護部材４ａ、第２保護部材４ｂは、例えば、ポリパラキシリレン（パリレン）、ホットメルト樹脂などの材料が用いられた保護膜を含む。また例えば、ホットメルト樹脂とアルミニウムとの積層シートなどを用いてもよい。各保護膜部材が各シンチレータを覆うことによって、外部の水分などから各シンチレータを保護することができる。
【００１４】
放射線撮像装置１００は、筺体４０の内側に、第１信号処理部１０ａと第２信号処理部１０ｂとを更に備える。第１信号処理部１０ａは、第１放射線画像を生成するために、第１撮像パネル５ａの第１画素アレイ２ａからの電気信号を処理する。
【００１５】
第１信号処理部１０ａは、第１フレキシブル配線基板６ａと、第１信号処理用ＩＣ（集積回路）７ａと、第１プリント回路基板８ａ、第１画像処理用ＩＣ９ａ、とを含む。第１フレキシブル配線基板６ａを介して第１画素アレイ２ａから出力された電気信号は、第１信号処理用ＩＣ７ａによって、増幅、並列直列変換、Ａ／Ｄ変換等の信号処理がなされる。信号処理された電気信号が第１フレキシブル配線基板６ａを介して第１プリント回路基板８ａに実装された第１画像処理用ＩＣ９ａによって、各種画像処理がなされて第１放射線画像として出力される。図３（ａ）に示すように、第１信号処理部１０ａは複数の第１フレキシブル配線基板６ａと第１信号処理用ＩＣ７ａとからなる組の複数と、それら複数の組に共通に設けられた第１プリント回路基板８ａ及び第１画像処理用ＩＣ９ａ、とを含む。第１フレキシブル配線基板６ａは基板２ａの第１表面の周縁に設けられた信号処理用ＰＡＤに電気的に接続され、上記複数の組は基板２ａの４辺のうちの第１辺（図面上側の辺）に沿って並んで実装されている。
【００１６】
また、第２信号処理部１０ｂは、第１放射線画像とは別の第２放射線画像を生成するために、第１信号処理部１０ｂとは別に設けられ、第２撮像パネル５ｂの第２画素アレイ２ｂからの電気信号を処理する。第２信号処理部１０ｂは、第２フレキシブル配線基板６ｂと、第２信号処理用ＩＣ（集積回路）７ｂと、第２プリント回路基板８ｂ、第２画像処理用ＩＣ９ｂ、とを含む。第２フレキシブル配線基板６ｂを介して第２画素アレイ２ｂから出力された電気信号は、第２信号処理用ＩＣ７ｂによって、増幅、並列直列変換、Ａ／Ｄ変換等の信号処理がなされる。信号処理された電気信号が第２フレキシブル配線基板６ｂを介して第２プリント回路基板８ｂに実装された第２画像処理用ＩＣ９ｂによって、各種画像処理がなされて第２放射線画像として出力される。図３（ｂ）に示すように、第２信号処理部１０ｂは複数の第２フレキシブル配線基板６ｂと第２信号処理用ＩＣ７ｂとからなる組の複数と、それら複数の組に共通に設けられた第２プリント回路基板８ｂ及び第２画像処理用ＩＣ９ｂ、とを含む。第２フレキシブル配線基板６ｂは基板２ｂの第１表面の周縁に設けられた信号処理用ＰＡＤに電気的に接続され、上記複数の組は基板２ｂの４辺のうちの第１辺と対向する第２辺（図面下側の辺）に沿って並んで実装されている。得られた第１放射線画像と第２放射線画像とに基づいて、被写体に対して１回の放射線の照射（ワンショット法）でエネルギーサブトラクション画像が取得され得る。
【００１７】
一方、放射線撮像装置１００は、筺体４０の内側に、第１撮像パネル５ａの第１画素アレイ２ａ及び第２撮像パネル５ｂの第２画素アレイ２ｂを共通の駆動信号で駆動するための駆動部１６を更に備える。駆動部１６は、第１撮像パネル５ａ及び第２撮像パネル５ｂに共通に、電気的に接続されている。駆動部１６は、第１駆動用フレキシブル配線基板１１と、駆動用ＩＣ１２と、第２駆動用フレキシブル配線基板１３と、駆動用プリント回路基板１４と、制御用ＩＣ１５と、を含む。駆動用プリント回路基板１４に実装された制御用ＩＣ１５からの制御信号が、第２駆動用フレキシブル配線基板１３を介して駆動用ＩＣ１２に供給される。供給された制御信号に応じて駆動用ＩＣ１２は、第１駆動用フレキシブル配線基板１１を介して、第１画素アレイ２ａ及び第２画素アレイ２ｂに共通の駆動信号を供給する。駆動部１６は、第１駆動用フレキシブル配線基板１１と駆動用ＩＣ１２と第２駆動用フレキシブル配線基板１３とからなる組の複数と、それら複数の組に共通に設けられた駆動用プリント回路基板１４及び制御用ＩＣ１５を含む。図３（ａ）及び図３（ｂ）に示すように、それぞれの基板の第１及び第２辺とは異なる第３辺、及び、その第３辺と対向する第４辺の両方に配置されている。第１駆動用フレキシブル配線基板１１は各基板の第１表面の周縁に設けられた駆動用ＰＡＤに電気的に接続され、上記複数の組は各基板第３辺（図面左側の辺）に沿って並んで実装されており、また、第４辺（図面右側の辺）に沿って並んで実装されている。第１駆動用フレキシブル配線基板１１の一端で第１撮像パネル５ａと電気的に接続しており、第１駆動用フレキシブル配線基板１１の他端で第２撮像パネル５ｂと電気的に接続している。また、駆動用ＩＣ１２から各撮像パネルまでの接続抵抗が略等しくなるように、第１駆動用フレキシブル配線基板１１に駆動用ＩＣ１２が備えられていることが望ましい。
【００１８】
図４に示すように、第１駆動用フレキシブル配線基板１１は、インナーリード１１１と、第１絶縁膜１１２と、第２絶縁膜１１３と、を含む。駆動用ＩＣ１２は第１絶縁膜１１２側である第１表面側に備えられており、インナーリード１１１と電気的に接続される。第２絶縁膜１１３は、インナーリード１１１を挟んで第１絶縁膜１１２の反対側に位置する。第２絶縁膜１１３には、第１撮像パネル５ａの駆動用ＰＡＤとインナーリード１１１とが電気的に接続するための開口が第１駆動用フレキシブル配線基板１１の一端に設けられている。一方、第１絶縁膜１１２には、第２撮像パネル５ｂの駆動用ＰＡＤとインナーリード１１１とが電気的に接続するための開口が第１駆動用フレキシブル配線基板１１の他端に設けられている。また、第１絶縁膜１１２には、第１駆動用フレキシブル配線基板１１の他端と駆動用ＩＣとの間に、第２駆動用フレキシブル配線基板とインナーリード１１１とが電気的に接続するための開口が別途設けられている。
【００１９】
このように、放射線撮像装置１００では、駆動部を複数の撮像パネルに共通に駆動信号を供給するように設ける一方、撮像パネル毎に信号処理部を設けて、クロストークなどによる画像への影響が低減し、画像アーチファクトが低減される。また、第１信号処理部１０ａと第２信号処理部１０ｂとが互いに別々に構成され、且つ、カバー２０に対する正射影において互いに重ならない位置に配されている。それにより、一方の信号処理部から他方の信号処理部の信号に与える影響が低減され、画像アーチファクトが低減される。更に、各撮像パネルに共通に駆動信号を供給する駆動部を、各撮像パネルの対向する２辺に設けることにより、放射線撮像装置全体での駆動部に係る部品点数を増やすことなく、画像のシェーディングを抑制できる。なお、本実施形態においては、駆動部１６全体を共通に設けたが、本発明はそれに限定されるものではない。例えば、それぞれの撮像パネルに上気複数の組をそれぞれ別に設け、駆動用プリント回路基板１４及び制御用ＩＣ１５が共通に設けられるものであってもよい。
【００２０】
（第２の実施形態）
次に、図５〜７を参照して、第２の実施形態に係る放射線撮像装置の構造について説明する。図５（ａ）は、図１のＡ−Ａ’箇所に係る断面図であり、図５（ｂ）は、Ｂ−Ｂ’箇所に係る断面図である。図６は、第２撮像パネルと第２信号処理部と駆動部に係る構成を説明するための平面図である。図７は、第２の実施形態に係る駆動部の構成例を説明するための平面図である。なお、第１の実施形態と同じ構成には同じ符号を付与し、詳細な説明は省略する。以下に、第１の実施形態との相違点を中心に、説明する。
【００２１】
図２（ａ）及び図２（ｂ）に示す第１の実施形態では、第２撮像パネル５ｂは、カバー２０に近い側から、第２シンチレータ３ｂ、第２画素アレイ２ｂが備えられた第２基板１ｂの第１表面、第１表面と対向する第２基板１ｂの第２表面、の順で配される。このような場合、第１駆動用フレキシブル配線基板１１は、その第１面において第１撮像パネル５ａと接続され、一方第１面と対向する第２面において第２撮像パネル５ｂと接続されることになる。そのため、フレキシブル配線基板に設ける接続部を、一方では第１面に、他方では第２面に、それぞれ設けなければならず、構成が煩雑となってしまう。
【００２２】
一方、図５（ａ）及び図５（ｂ）に示すように、本実施形態では、第２撮像パネル５ｂが、カバー２０に近い側から、基板１ｂの第２表面、基板１ｂの第１表面（及び画素アレイ２ｂ）、シンチレータ３ｂ、の順で配されている。このような場合、第１駆動用フレキシブル配線基板１１は、第１撮像パネル５ａと第２撮像パネル５ｂのいずれとも、その第１面において接続されることになる。そのため、第１駆動用フレキシブル配線基板１１に設ける接続部を、第１面にのみ設ければよく、簡便な構成とすることが可能となる。具体的には、図７に示すように、第２撮像パネル５ｂの駆動用ＰＡＤとインナーリード１１１とが電気的に接続するための開口が第２絶縁膜１１３の第１駆動用フレキシブル配線基板１１の他端に更に設けられている。これにより、第１絶縁膜１１２に第２撮像パネル５ｂの駆動用ＰＡＤとインナーリード１１１とが電気的に接続するための開口を設ける必要がなく、簡便な構成とすることが可能となる。
【００２３】
以上、本発明に係る各実施形態を示したが、本発明はこれらの実施形態に限定されないことはいうまでもなく、本発明の要旨を逸脱しない範囲で、上述した実施形態は適宜変更、組み合わせが可能である。
【００２４】
以下、図８を参照しながら本発明の放射線撮像装置が組み込まれた放射線撮像システムを例示的に説明する。放射線源であるＸ線チューブ６０５０で発生したＸ線６０６０は、患者又は被験者６０６１の胸部６０６２を透過し、本発明の放射線撮像装置１００に入射する。この入射したＸ線に患者又は被験者６０６１の体内部の情報が含まれる。放射線撮像装置１００において、Ｘ線６０６０の入射に対応してシンチレータが発光し、これが光電変換素子で光電変換され、電気的情報を得る。この情報は、デジタルに変換され信号処理装置としてのイメージプロセッサ６０７０によって画像処理され、制御室の表示部としてのディスプレイ６０８０で観察できる。また、この情報は、電話、ＬＡＮ、インターネットなどのネットワーク６０９０などの伝送処理部によって遠隔地へ転送できる。これによって別の場所のドクタールームなどの表示部であるディスプレイ６０８１に表示し、遠隔地の医師が診断することも可能である。また、この情報は、光ディスクなどの記録媒体に記録することができ、またフィルムプロセッサ６１００によって記録媒体となるフィルム６１１０に記録することもできる。
【符号の説明】
【００２５】
２ａ  第１画素アレイ
２ｂ  第２画素アレイ
５ａ  第１撮像パネル
５ｂ  第２撮像パネル
１０ａ  第１信号処理部
１０ｂ  第２信号処理部
１６  駆動部
４０  筺体
【図１】
2017200138.tif 000003
【図２】
2017200138.tif 000004
【図３】
2017200138.tif 000005
【図４】
2017200138.tif 000006
【図５】
2017200138.tif 000007
【図６】
2017200138.tif 000008
【図７】
2017200138.tif 000009
【図８】
2017200138.tif 000010